(57)【要約】【課題】高速で走行するウェブ上の大部分の位置の光学情報を効率よく収集する手段を提供することである。【解決手段】ガルバノミラー（１）を用い、該ミラー（１）の角度を変えることで、違う方向からの入射光（６）を反射し固定した二重スリット（４）に順次向け、光束を絞り、同じく固定した回折格子（２）で分光し、光検知器列（３）に入射させる分光特性を高速に収集する装置。【選択図】　図１
2004093326.tif 000002
【特許請求の範囲】
【請求項１】
ガルバノミラー（１）を用い、該ミラー（１）の角度を変えることで、違う方向からの入射光（６）を反射し固定した二重スリット（４）に順次向け、光束を絞り、同じく固定した回折格子（２）で分光し光検知器列（３）に入射させる分光特性を高速に収集する装置。
【請求項２】
ガルバノミラーのミラーとして回折格子（２）を用い、該回折格子（２）と共に動く二重スリット（４）を該ガルバノミラーである回折格子（２）より前方に配置し、該二重スリット（４）を通った光（６）を該ガルバノミラ−である回折格子（２）で分光し、同じく該回折格子（２）と共に動く光検知器列（３）に入射させる分光特性を高速に収集する装置。
【請求項３】
ガルバノミラー（１）のミラー（１）を用い、該ガルバノミラー（１）と共に動く二重スリット（４）を該ガルバノミラー（１）より前方に配置し、該二重スリット（４）を通った光を反射し、同じくガルバノミラー（１）と共に動く回折格子（２）に入射させ分光し、同じくガルバノミラーと共に動く光検知器列（３）に入射させる分光特性を高速に収集する装置。
【請求項４】
二重スリット（４）がガルバノミラー（１）に於ける反射の前後に分割されている請求項３記載の分光特性を高速に収集する装置。
【発明の詳細な説明】
【０００１】
【発明の属する技術分野】
本発明は走行するウェブ等の表面の光学情報を高速に収集する装置に関する。
【０００２】
【従来の技術】
従来、紙等のウェブの製造に際しては、例えばβ線坪量計等のようなセンサ−を走行するウェブの幅方向に走査し、得られた結果を制御手段にフィ−ドバックするという事は古くから行われていた。白色度のような光学情報もウェブをフレームに取り付けられ、ウェブの巾方向を往復する移動体に白色度計または色彩計を組み込み測定されていた。
【０００３】
しかしながら、近年向上し続ける製造速度に比較してセンサ−の走査速度は遅く（ある程度以上の大きさになってしまう測色装置を水平方向に往復運動させるため高速には出来ない）、同じ幅方向の位置のデ−タが流れ方向で数百ｍ以上離れてしまい、色彩をリアルタイムで制御するための前提条件すら整っていなかった。
【０００４】
得られる情報の発信場所は幅広いウェブ上の、流れ方向に引き延ばされた幅の狭いサインカーブ型の帯状の部分だけであり、他の大部分の場所の情報は実際には未知のままであった。
【０００５】
【発明が解決しようとする課題】
従って、本発明の課題は、高速で走行するウェブ上の大部分の位置の光学情報を効率よく収集する手段を提供することである。
【０００６】
【課題を解決するための手段】
本発明の課題は、ガルバノミラー（１）を用い、該ミラー（１）の角度を変えることで、違う方向からの入射光（６）を反射し固定した二重スリット（４）に順次向け、光束を絞り、同じく固定した回折格子（２）で分光し光検知器列（３）に入射させる分光特性を高速に収集する装置によって達成される。
【０００７】
本発明の課題は、ガルバノミラーのミラーとして回折格子（２）を用い、該回折格子（２）と共に動く二重スリット（４）を該ガルバノミラ−である回折格子（２）より前方に配置し、該二重スリット（４）を通った光（６）を該ガルバノミラ−である回折格子（２）で分光し、同じく該回折格子（２）と共に動く光検知器列（３）に入射させる分光特性を高速に収集する装置によって達成される。
【０００８】
本発明の課題は、ガルバノミラー（１）のミラー（１）を用い、該ガルバノミラー（１）と共に動く二重スリット（４）を該がるばのみら−（１）より前方に配置し、該二重スリット（４）を通った光を反射し、同じくガルバノミラー（１）と共に動く回折格子（２）に入射させ分光し、同じくガルバノミラーと共に動く光検知器列（３）に入射させる分光特性を高速に収集する装置によって達成される。
【０００９】
本発明の課題は、上記スリット（４）、回折格子（２）及び光検知器列（３）がガルバノミラー（１）と共に動く分光特性を高速に収集する装置に置いて、二重スリット（４）がガルバノミラー（１）に於ける反射の前後に分割されている分光特性を高速に収集する装置によって効果的に達成される。
【００１０】
【発明の実施の形態】
本発明の実施に用いるガルバノミラー（１）とは、検流計の針の代わりに鏡を取り付けたものであり、電磁力により回転軸を回そうという力が働き、一方で回転軸はコイルバネと結びつけられており回転に抵抗する構造となっており、電流を流すと電流値に比例する磁力とコイルバネの歪み応力が釣り合う位置まで回転軸が捻れるので、電流値の変化により鏡の向きを変化させることが出来る。
写真製版における刷版や版下の製作に用いるイメージセッター等ではレーザー光等の光源光を走査し、広い範囲を像様露光するのに用いている。
【００１１】
電流値を直線的に変化させると、理想的には角速度一定となるが、ミラーと対象面の位置関係から予め計算された関数で変化させると線速度一定にも原理的には出来る。増減を繰り返すことで往復させる事も出来るし、鋸波形を与える事で実質的に常に一定方向の走査をさせることも可能である。
【００１２】
本発明の実施に用いる回折格子（２）は通常、鏡面に直線平行な筋を付けた構造であり、反射光の反射方向が波長の変化に伴って連続的に変化するようになっている。
従って回折格子自体（２）をガルバノミラー（１）とすることも出来る。この場合は回折格子（２）に入射する光は予め線束を絞っておかねばならないこと、光束の当たった位置から波長毎に決まった方向に反射されることから、回折格子（２）であるガルバノミラー（１）に対して固定された二重スリット（４）により光束を絞り、同じくガルバノミラー（１）に対して固定された光検知器列（３）で検知する構造にしなければならない。
【００１３】
本発明の実施に用いる二重スリット（４）は通常の遮光板に線状の穴を開けたスリットを二組用いるが、互いの距離が長いほど、光源の方向の分解能が高くなる。（相反して利用出来る光量が下がる。）
【００１４】
従って可動部分はガルバノミラー（１）のみとし、二重スリット（４）、回折格子（２）及び光検知器列（３）を固定式とする構造がスリット（４）間距離を自由に設計出来、有利である。
【００１５】
コンパクトな設計が必要な場合は、可動部と固定部を分けるより一体化して全体を動かす方が有利であるが、その場合のスリット（４）間距離を大きくする方法としては第１スリット（４）、ガルバノミラー（１）、第２スリット（４）、回折格子（２）及び光検知器列（３）を一体化し、この順に光を通す構造とし、全体を可動式にするのが有利である。
【００１６】
可動部が多くなると重量が増大し慣性モーメントが大きくなるので不利であるが、やむを得ず重量が大きくなる場合は構造全体を補強し駆動力の源である検流計本体も大型化すると同時に方向転換部にショックアブソーバーを設ける等対策が必要である。
【００１７】
本発明の実施に用いられる光検知器列（３）としては、ラインＣＣＤが性能、入手し易さ及びコンパクトな点で現状では最も有利である。
【００１８】
本発明の装置により得られる分光特性情報は測定対象物の色相計算のために用いられる。
【００１９】
【実施例】
本発明を更に詳しく説明するため図を用いて説明する。
図１は二重スリット（４）、回折格子（２）及び光検知器列（３）が固定でガルバノミラーのみが可動式の場合である。
【００２０】
二重スリット（４）の開口方向は一直線であるので入射光（６）の方向はガルヴァノミラー（１）の角度変化に伴いその倍の角度で変化する。反射光（７）は回折格子（２）に対し一定角で入射するため、分光（８）は波長毎に常に一定の角度で回折される。従って、光検知器列の夫々の素子に入射する光の波長は常に一定である。
【００２１】
図２は回折格子（２）自体がガルバノミラーとなっている場合であり、前置二重スリット及び光検知器列（３）が回折格子（２）と一体になって角度変化する構造を示している図であり、図２ａは俯瞰図、図２ｂは側面図である。
入射光（６）は前置二重スリット（図示せず）を通り回折格子（ガルバノミラー）に一定角度で入射するため分光（８）は回折格子に対して波長毎に一定角度で回折される。
【００２２】
入射光（６）が入射して来る方向は前置二重スリット（４）が回折格子（２）に固定されているため、回折格子（２）の角度変化に対し同じ角度で変化する。
【００２３】
図３は前置第１スリット（４）、後置第２スリット（４）回折格子（２）及び光検知器列（３）がガルバノミラーと一体になって角度変化する構造を示している図であり、図３ａは俯瞰図、図３ｂは側面図である。
【００２４】
入射光（６）は第１スリット（４）で方向を絞られガルバノミラー（１）に入射し、反射される。反射光（７）は第２スリット（４）により更に絞られ方向の分解能を高め、回折格子（２）に入射する。回折格子（２）により回折され分光した光（８）は光検知器列（３）に入射し測定される。
【００２５】
【発明の効果】
可動部がコンパクトで軽いため、高速に角度変化する事が可能なため、短時間で広い範囲の分光特性データを収集可能である。
【図面の簡単な説明】
【図１】ガルバノミラーのみが可動となっている設計例。
【図２】図２ａ
スリット、回折格子及び光検知器列が一体となって角度変化する場合の俯瞰図。
図２ｂ
同側面図。共にスリットは図示せず。
【図３】図３ａ
スリット、ガルバノミラー、回折格子及び光検知器列が一体となって角度変化する場合の俯瞰図。
図３ｂ
同側面図。スリットをガリバノミラーの前後に置く場合。
【符号の説明】
１　ガルバノミラー
２　回折格子
３　光検知器列
４　スリット
５　ガルバノミラー或いは一体構造物の角度変化の向き
６　入射光
７　反射光
８　回折され分光した光
９　一体となって角度変化する構造物の範囲
【図１】
2004093326.tif 000003
【図２】
2004093326.tif 000004
【図３】
2004093326.tif 000005